(57)【要約】【課題】ＣＰＵ回路の１つのポートを使って、ラインの直流電圧の制御・監視等を実施する。【解決手段】本発明のインターホン装置は、玄関子機１からインターホン親機３と、ラインＬ２を介してインターホン増設親機５とを呼出し、玄関子機の通話装置１３とインターホン親機の通話装置３６およびインターホン増設親機の通話装置５５で通話するものであって、インターホン親機及びインターホン増設親機は、インターホン親機とインターホン増設親機を接続するラインの直流電圧をインターホン親機あるいはインターホン増設親機がそれぞれ検出・監視し、ラインの直流電圧をインターホン親機あるいはインターホン増設親機が相互に制御することにより、各々の状態・要求を把握する電圧検出・電圧昇降ＣＰＵ回路３９、５７をそれぞれ備えている。【選択図】図２
2006279790.tif 000002
【特許請求の範囲】
【請求項１】
玄関子機（１）からインターホン親機（３）とライン（Ｌ２）を介してインターホン増設親機（５）とを呼出し、玄関子機の通話装置（１３）と前記インターホン親機あるいは前記インターホン増設親機の通話装置（３６、５５）で通話するインターホン装置であって、
前記インターホン親機及び前記インターホン増設親機は、前記インターホン親機と前記インターホン増設親機を接続する前記ラインの直流電圧を前記インターホン親機あるいは前記インターホン増設親機がそれぞれ検出・監視し、前記ラインの直流電圧を前記インターホン親機あるいは前記インターホン増設親機が相互に制御することにより、各々の状態・要求を把握する電圧検出・電圧昇降ＣＰＵ回路（３９、５７）をそれぞれ備えることを特徴とするインターホン装置。
【請求項２】
前記電圧検出・電圧昇降ＣＰＵ回路は、前記ラインの直流電圧の制御・監視を、前記電圧検出・電圧昇降ＣＰＵ回路の１つのポートを使って実施することを特徴とする請求項１記載のインターホン装置。
【請求項３】
前記電圧検出・電圧昇降ＣＰＵ回路は、前記ラインの直流電圧を、前記電圧検出・電圧昇降ＣＰＵ回路のＡ／Ｄ変換アナログポートにて監視することを特徴とする請求項１又は請求項２記載のインターホン装置。
【発明の詳細な説明】
【技術分野】
【０００１】
本発明は、インターホン装置に係わり、特にインターホン親機とインターホン増設親機を接続するラインの直流電圧を検出・監視することができるインターホン装置に関する。
【背景技術】
【０００２】
従来から、この種のインターホン装置として、玄関子機にインターホン親機およびインターホン増設親機を順次直列に接続し、玄関子機からインターホン親機、インターホン増設親機の何れかを呼び出し、呼び出された側で玄関子機からの映像を見ながら玄関子機と通話することができるような構成のものが知られている（例えば、特許文献１参照）。
【０００３】
ところで、このような構成のインターホン装置においては、図５に示すように、インターホン親機１０とインターホン増設親機２０を接続する第１、第２の親機―増設親機ラインＬ１０ａ、Ｌ１０ｂ間の直流電圧を検出することで、インターホン増設親機が接続されているか否か、若しくは玄関子機が通話状態にある否かの確認が行なわれている。
【０００４】
同図において、インターホン親機１０は、電源電圧Ｖｃｃ、親機抵抗Ｒ１０ａ、親機ライン電圧可変回路Ｃ１０、第１、第２の親機ライン電圧検出回路Ｄ１０ａ、Ｄ１０ｂ、親機出力ポートＯＰ１０、第１、第２の親機入力ポートＩＰ１０ａ、ＩＰ１０ｂを有する親機ＣＰＵ１００および第１、第２の親機出力端子Ａ１０、Ａ２０を備えている。また、インターホン増設親機２０は、増設親機抵抗Ｒ１０ｂ、増設親機ライン電圧可変回路Ｃ２０、第１、第２の増設親機ライン電圧検出回路Ｄ２０ａ、Ｄ２０ｂ、増設親機出力ポートＯＰ２０、第１、第２の増設親機入力ポートＩＰ２０ａ、ＩＰ２０ｂを有する増設親機ＣＰＵ２００および第１、第２の増設親機入力端子Ｂ１０、Ｂ２０を備えている。
【０００５】
ここで、第２の親機―増設親機ラインＬ１０ｂの一端はアース回路に接続された第２の親機出力端子Ａ２０に接続され、他端はアース回路に接続された第２の増設親機入力端子Ｂ２０に接続されている。また、第１の親機ー増設親機ラインＬ１０ａの一端は第１の親機出力端子Ａ１０に接続され、インターホン親機１０内において親機抵抗Ｒ１０ａで電源電圧Ｖｃｃに対してプルアップされ、他端は増設インターホン親機２０内において増設親機抵抗Ｒ１０ｂで回路アースに対してプルダウンされている。
【０００６】
また、第１の親機出力端子Ａ１０は、親機抵抗Ｒ１０ａの一端側、親機ライン電圧可変回路Ｃ１０の出力側、第１、第２の親機ライン電圧検出回路Ｄ１０ａ、Ｄ１０ｂの各入力側に接続され、親機ライン電圧可変回路Ｃ１０の入力側には親機出力ポートＯＰ１０が、第１の親機ライン電圧検出回路Ｄ１０ａの出力側には第１の親機入力ポートＩＰ１０ａが、第２の親機ライン電圧検出回路Ｄ１０ｂの出力側には第２の親機入力ポートＩＰ１０ｂがそれぞれ接続されている。
【０００７】
さらに、第１の増設親機入力端子Ｂ１０は、増設親機抵抗Ｒ１０ｂの一端側、増設親機ライン電圧可変回路Ｃ２０の出力側、第１、第２の増設親機ライン電圧検出回路Ｄ２０ａ、Ｄ２０ｂの各入力側に接続され、増設親機ライン電圧可変回路Ｃ２０の入力側には増設親機出力ポートＯＰ２０が、第１の増設親機ライン電圧検出回路Ｄ２０ａの出力側には第１の増設親機入力ポートＩＰ２０ａが、第２の増設親機ライン電圧検出回路Ｄ２０ｂの出力側には第２の増設親機入力ポートＩＰ２０ｂがそれぞれ接続されている。
【０００８】
第１の親機ライン電圧検出回路Ｄ１０ａおよび第１の増設親機ライン電圧検出回路Ｄ２０ａは、通常時はネガティブ信号を送出し、一定以下の電圧を検出するとアクティブ信号を送出するように構成されている。また、第２の親機ライン電圧検出回路Ｄ１０ｂおよび第２の増設親機ライン電圧検出回路Ｄ２０ｂは、通常時はネガティブ信号を送出し、第１の親機ライン電圧検出回路Ｄ１０ａおよび第１の増設親機ライン電圧検出回路Ｄ２０ａよりもさらに低い一定以下の電圧を検出するとアクティブ信号を送出するように構成されている。
【０００９】
このように構成されたインターホン装置において、インターホン増設親機２０が接続されていない場合は、インターホン親機１０の第１、第２の親機ー増設親機ラインＬ１０ａ、Ｌ１０ｂ間の直流電圧は電源電圧Ｖｃｃとなり、かかる電圧が第１の親機ライン電圧検出回路Ｄ１０ａで検出されると、第１の親機入力ポートＩＰ１０ａに対してネガティブ信号が与えられる。これにより、親機ＣＰＵ１００において、インターホン増設親機２０が接続されていないことが認識される。
【００１０】
次に、インターホン増設親機２０が接続されると、第１、第２の親機ー増設親機ラインＬ１０ａ、Ｌ１０ｂ間の直流電圧は、電源電圧Ｖｃｃをインターホン親機１０内の親機抵抗Ｒ１０ａおよびインターホン増設親機２０内の増設親機抵抗Ｒ１０ｂにて分圧した電圧で与えられることから、かかる電圧がそれぞれ第１の親機ライン電圧検出回路Ｄ１０ａおよび第１の増設親機ライン電圧検出回路Ｄ２０ａで検出され、それぞれ第１の親機入力ポートＩＰ１０ａおよび第２の増設親機入力ポートＩＰ２０ａに対してアクティブ信号が与えられる。これにより、インターホン親機１０およびインターホン増設親機２０において、インターホン増設親機２０が接続されたことが認識される。
【００１１】
次に、インターホン親機１０が玄関子機（不図示）と通話状態になる場合には、インターホン増設親機２０を使用する居住者に対して、玄関子機が通話状態にあることを認識させる必要がある。そこで、このような場合は、親機ＣＰＵ１００において、親機出力ポートＯＰ１０をアクティブにして、親機ライン電圧可変回路Ｃ１０を起動することで、第１、第２の親機ー増設親機ラインＬ１０ａ、Ｌ１０ｂ間の直流電圧を前述の直流電圧よりもさらに低下させることができる。かかる電圧は第１、第２の増設親機ライン電圧検出回路Ｄ２０ａ、Ｄ２０ｂでそれぞれ検出され、第１、第２の増設親機入力ポートＩＰ２０ａ、ＩＰ２０ｂに対してそれぞれアクティブ信号が与えられることで、増設親機ＣＰＵ２００において、現在、玄関子機が通話状態にあることが認識される。
【００１２】
一方、インターホン増設親機２０が玄関子機と通話状態になる場合には、前述のインターホン親機１０と同様に、インターホン増設親機２０において、増設親機ライン電圧可変回路Ｃ２０を起動することで、第１、第２の親機ー増設親機ラインＬ１０ａ、Ｌ１０ｂ間の直流電圧が低下させることができることから、親機ＣＰＵ１００において、玄関子機が通話状態にあることが認識される。
【００１３】
【特許文献１】特開２００１−２３７９７４号公報（段落番号０００２〜００１７、図２）
【発明の開示】
【発明が解決しようとする課題】
【００１４】
しかしながら、このような構成のインターホン装置においては、インターホン増設親機が接続されているか否か、若しくはインターホン親機やインターホン増設親機が玄関子機と通話状態にあるか否かに応じて第１、第２の親機ー増設親機ライン間の直流電圧を検出する必要があるため、複数のライン電圧検出回路が必要であり、また、親機ＣＰＵや増設親機ＣＰＵにおいて、これらのライン電圧検出回路からの出力を取り込む必要があるため、親機ＣＰＵや増設親機ＣＰＵに複数の入力ポートを設けなければならないという難点があった。
【００１５】
本発明は、このような難点を解決するためになされたもので、インターホン親機とインターホン増設親機にそれぞれ電圧検出・電圧昇降ＣＰＵ回路を搭載することで、インターホン親機およびインターホン増設親機において、ラインの直流電圧を検出・監視し、若しくは相互に制御することができるインターホン装置を提供することを目的としている。
【課題を解決するための手段】
【００１６】
本発明は上述の難点を解消するためになされたもので、本発明の第１の態様であるインターホン装置は、玄関子機からインターホン親機とラインを介してインターホン増設親機とを呼出し、玄関子機の通話装置とインターホン親機あるいはインターホン増設親機の通話装置で通話するインターホン装置であって、インターホン親機及びインターホン増設親機は、インターホン親機とインターホン増設親機を接続するラインの直流電圧をインターホン親機あるいはインターホン増設親機がそれぞれ検出・監視し、ラインの直流電圧をインターホン親機あるいはインターホン増設親機が相互に制御することにより、各々の状態・要求を把握する電圧検出・電圧昇降ＣＰＵ回路をそれぞれ備えるものである。
【００１７】
本発明の第２の態様は、第１の態様であるインターホン装置において、電圧検出・電圧昇降ＣＰＵ回路は、ラインの直流電圧の制御・監視を、電圧検出・電圧昇降ＣＰＵ回路の１つのポートを使って実施するものである。
【００１８】
本発明の第３の態様は、第１の態様または第２の態様であるインターホン装置において、電圧検出・電圧昇降ＣＰＵ回路は、ラインの直流電圧を、電圧検出・電圧昇降ＣＰＵ回路のＡ／Ｄ変換アナログポートにて監視するものである。
【発明の効果】
【００１９】
以上の説明から明らかなように、本発明の第１の態様乃至第３の態様のインターホン装置によれば、インターホン親機とインターホン増設親機にそれぞれ電圧検出・電圧昇降ＣＰＵ回路が搭載されていることから、インターホン親機およびインターホン増設親機において、ラインの直流電圧を検出・監視し、若しくは相互に制御することができ、ひいてはインターホン親機にインターホン増設親機が接続されているか否か、若しくはインターホン親機やインターホン増設親機が玄関子機と通話状態にあるか否か等の状態・要求をライン電圧検出回路を用いることなく把握することができる。また、電圧検出・電圧昇降ＣＰＵ回路の１つのポート若しくはＡ／Ｄ変換アナログポートを使って、ラインの直流電圧の制御・監視を実施することができることから、従来のインターホン装置のように、ＣＰＵ回路に複数のポートを設ける必要がなくなる。
【発明を実施するための最良の形態】
【００２０】
以下、本発明のインターホン装置を適用した好ましい実施の形態例について、図面を参照して説明する。
［実施例１］
図１は、本発明の第１の実施例におけるインターホン装置のブロック図を示している。
【００２１】
同図において、本発明のインターホン装置は、屋外に設置される玄関子機１と、屋内に設置されるインターホン親機３およびインターホン増設親機５とを備えており、インターホン親機３は、第１のラインＬ１を介して玄関子機１に、第２のラインＬ２を介してインターホン増設親機５にそれぞれ接続されている。
【００２２】
玄関子機１は、起動電圧検出回路１１、呼出ボタン１２、スピーカ１３ａとマイク（以下「子機マイク」という。）１３ｂから構成される通話装置（以下「子機通話装置」という。）１３、スピーカアンプ１４、マイクアンプ１５、２線４線変換回路（以下「子機２線４線変換回路」という。）１６および出力端子（以下「子機端子」という。）Ｔ１を備えている。ここで、子機端子Ｔ１は、起動電圧検出回路１１、呼出ボタン１２および子機２線４線変換回路１６に接続され、起動電圧検出回路１１にはスピーカアンプ１４およびマイクアンプ１５が接続されている。また、子機２線４線変換回路１６は、スピーカアンプ１４およびマイクアンプ１５に接続され、スピーカアンプ１４にはスピーカ１３ａが、マイクアンプ１５には子機マイク１３ｂがそれぞれ接続されている。
【００２３】
インターホン親機３は、データ送受信回路（以下「親機データ送受信回路」という。）３１、２線４線変換回路（以下「親機２線４線変換回路」という。）３２、玄関子機起動電源送出回路３３、受話アンプ（以下「親機受話アンプ」という。）３４、送話アンプ（以下「親機送話アンプ」という。）３５、レシーバ（以下「親機レシーバ」という。）３６ａとマイク（以下「親機マイク」という。）３６ｂから構成される通話装置（以下「親機通話装置」という。）３６、呼出検出回路３７、フックスイッチ（以下「親機フックスイッチ」という。）３８、電圧検出・電圧昇降ＣＰＵ回路（以下「親機電圧検出・電圧昇降ＣＰＵ回路」という。）３９、呼出音アンプ（以下「親機呼出音アンプ」という。）４０、拡声スピーカ（以下「親機拡声スピーカ」という。）４１、電源回路４２（以下「親機電源回路４２」という。）、入力端子Ｔ２ａ（以下「親機入力端子Ｔ２ａ」という。）および出力端子Ｔ２ｂ（以下「親機出力端子Ｔ２ｂ」という。）を備えている。ここで、親機入力端子Ｔ２ａは、第１のラインＬ１、親機出力端子Ｔ２ｂ、親機データ送受信回路３１、親機２線４線変換回路３２、玄関子機起動電源送出回路３３および呼出検出回路３７に接続され、親機２線４線変換回路３２には親機受話アンプ３４および親機送話アンプ３５がそれぞれ接続されている。また、親機電圧検出・電圧昇降ＣＰＵ回路３９は、親機データ送受信回路３１、玄関子機起動電源送出回路３３、親機受話アンプ３４、親機送話アンプ３５、呼出検出回路３７、親機フックスイッチ３８および親機呼出音アンプ４０が接続され、親機受話アンプ３４には親機レシーバ３６ａが、親機送話アンプ３５には親機マイク３６ｂが、親機呼出音アンプ４０には親機拡声スピーカ４１がそれぞれ接続されている。
【００２４】
インターホン増設親機５は、データ送受信回路（以下「増設親機データ送受信回路」という。）５１、２線４線変換回路（以下「増設親機２線４線変換回路」という。）５２、受話アンプ（以下「増設親機受話アンプ」という。）５３、送話アンプ（以下「増設親機送話アンプ」という。）５４、レシーバ（以下「増設親機レシーバ」という。）５５ａとマイク（以下「増設親機マイク」という。）５５ｂから構成される通話装置（以下「増設親機通話装置」という。）５５、フックスイッチ（以下「増設親機フックスイッチ」という。）５６、電圧検出・電圧昇降ＣＰＵ回路（以下「増設親機電圧検出・電圧昇降ＣＰＵ回路」という。）５７、呼出音アンプ（以下「増設親機呼出音アンプ」という。）５８、拡声スピーカ（以下「増設親機拡声スピーカ」という。）５９、電源回路（以下「増設親機電源回路」という。）６０および入力端子（以下「増設親機入力端子Ｔ３ａ」という。）Ｔ３ａを備えている。ここで、増設親機入力端子Ｔ３ａは、第２のラインＬ２、増設親機データ送受信回路５１および増設親機２線４線変換回路５２に接続され、増設親機２線４線変換回路５２には増設親機受話アンプ５３および増設親機送話アンプ５４がそれぞれ接続されている。また、増設親機電圧検出・電圧昇降ＣＰＵ回路５７は、増設親機データ送受信回路５１、増設親機受話アンプ５３、増設親機送話アンプ５４、増設親機フックスイッチ５６および増設親機呼出音アンプ５８に接続され、増設親機受話アンプ５３には増設親機レシーバ５５ａが、増設親機送話アンプ５４には増設親機マイク５５ｂが、増設親機呼出音アンプ５８には増設親機拡声スピーカ５９がそれぞれ接続されている。
【００２５】
図２は、第１の実施例におけるインターホン装置の状態変化検出回路図を示している。同図において、先ず、親機出力端子Ｔ２ｂは第１、第２の親機出力端子Ａ１、Ａ２を、増設親機入力端子Ｔ３ａは第１、第２の増設親機入力端子Ｂ１、Ｂ２をそれぞれ備えており、また、第２のラインＬ２は第１、第２の親機―増設親機ラインＬａ、Ｌｂを備えている。
【００２６】
次に、インターホン親機３は、１８Ｖ程度の電源電圧Ｖｃｃ、１０ｋΩ程度の第１の抵抗（以下「第１の親機抵抗」という）Ｒ１ａおよび４.７ｋΩ程度の第２の抵抗（以下「第２の親機抵抗」という）Ｒ２ａを備えており、親機電圧検出・電圧昇降ＣＰＵ回路３９には、Ａ／Ｄ変換アナログ回路（以下「親機Ａ／Ｄ変換アナログ回路」という。）Ａ／Ｄ１、Ａ／Ｄ変換アナログポート（以下「親機Ａ／Ｄ変換アナログポート」という。）Ｐ１およびトランジスタ（以下「親機トランジスタ」という。）ＴＲ１が実装されている。また、インターホン増設親機５は、１２ｋΩ程度の第１の抵抗（以下「第１の増設親機抵抗」という）Ｒ１ｂおよび４.７ｋΩ程度の第２の抵抗（以下「第２の増設親機抵抗」という）Ｒ２ｂを備えており、増設親機電圧検出・電圧昇降ＣＰＵ回路５７には、Ａ／Ｄ変換アナログ回路（以下「増設親機Ａ／Ｄ変換アナログ回路」という。）Ａ／Ｄ２、Ａ／Ｄ変換アナログポート（以下「増設親機Ａ／Ｄ変換アナログポート」という。）Ｐ２およびトランジスタ（以下「増設親機トランジスタ」という。）ＴＲ２が実装されている。
【００２７】
ここで、第２の親機―増設親機ラインＬｂの一端はアース回路に接続された第２の親機出力端子Ａ２に接続され、他端はアース回路に接続された第２の増設親機入力端子Ｂ２に接続されている。また、第１の親機ー増設親機ラインＬａの一端は第１の親機出力端子Ａ１に接続され、インターホン親機３内において第１の親機抵抗Ｒ１ａで電源電圧Ｖｃｃに対してプルアップされ、他端は増設インターホン親機５内において第１の増設親機抵抗Ｒ１ｂで回路アースに対してプルダウンされている。さらに、親機Ａ／Ｄ変換アナログポートＰ１は、親機Ａ／Ｄ変換アナログ回路Ａ／Ｄ１、親機トランジスタＴＲ１のコレクタ側および第２の親機抵抗Ｒ２ａの一端側に接続され、第２の親機抵抗Ｒ２ａの他端側には第１の親機抵抗Ｒ１ａの一端側および第１の親機出力端子Ａ１が接続されている。また、増設親機Ａ／Ｄ変換アナログポートＰ２は、増設親機Ａ／Ｄ変換アナログ回路Ａ／Ｄ２、増設親機トランジスタＴＲ２のコレクタ側および第２の増設親機抵抗Ｒ２ｂの一端側に接続され、第２の増設親機抵抗Ｒ２ｂの他端側には第１の増設親機抵抗Ｒ１ｂの一端側および第１の増設親機入力端子Ｂ１に接続されている。なお、親機トランジスタＴＲ１および増設親機トランジスタＴＲ２の各エミッタ側はアース回路に接続されている。
【００２８】
次に、このように構成された本発明のインターホン装置の動作について説明する。なお、玄関子機１からインターホン親機３とラインＬ２を介してインターホン増設親機５とを呼出し、玄関子機１の通話装置１３とインターホン親機３の通話装置３６あるいはインターホン増設親機５の通話装置５５で通話する点は従来のインターホン装置と同様に動作することから、ここでは詳細な説明を省略する。
【００２９】
先ず、インターホン親機３にインターホン増設親機５が接続されていない場合は、インターホン親機３の第１、第２の親機ー増設親機ラインＬａ、Ｌｂ間の直流電圧は、１８Ｖ程度の電源電圧Ｖｃｃとなることから、当該電圧は、インターホン親機３内の第２の親機抵抗Ｒ２ａを介して親機電圧検出・電圧昇降ＣＰＵ回路３９の親機Ａ／Ｄ変換アナログポートＰ１に伝達される。ここで、当該電圧は、図３に示すように、インターホン増設親機５が接続されていない状態の電圧（以下「増設親機未接続電圧」という。）であり、当該増設親機未接続電圧は、第１の基準電圧ＲＥＦ１を越えていることから、親機電圧検出・電圧昇降ＣＰＵ回路３９において、インターホン親機３にインターホン増設親機５が接続されていない状態にあるとして認識される。
【００３０】
次に、インターホン親機３にインターホン増設親機５が接続されると、第１、第２の親機ー増設親機ラインＬａ、Ｌｂ間の直流電圧は、電源Ｖｃｃを第１の親機抵抗Ｒ１ａおよび第１の増設親機抵抗Ｒ１ｂにて分圧した電圧で与えられることから、当該電圧は約１０Ｖとなり、第２の親機抵抗Ｒ２ａおよび第２の増設親機抵抗Ｒ２ｂを介してそれぞれ親機Ａ／Ｄ変換アナログポートＰ１および増設親機Ａ／Ｄ変換アナログポートＰ２に伝達される。当該電圧は、図３に示すように、インターホン増設親機５が接続された状態の電圧（以下「待受電圧」という。）であり、当該待受電圧は、第１の基準電圧ＲＥＦ１と第２の基準電圧ＲＥＦ２の範囲内にあることから、それぞれ親機電圧検出・電圧昇降ＣＰＵ回路３９および増設親機電圧検出・電圧昇降ＣＰＵ回路５７により、インターホン親機３およびインターホン増設親機５が互いに接続されているとして認識される。
【００３１】
次に、インターホン親機３が玄関子機１と通話状態になると、親機電圧検出・電圧昇降ＣＰＵ回路３９の制御により、親機Ａ／Ｄ変換アナログポートＰ１がロジック出力ポートに切り換えられることでＬレベルの電圧（０Ｖ）が出力される。これにより、インターホン親機３内の第２の親機抵抗Ｒ２ａがインターホン増設親機５内の第１の増設親機抵抗Ｒ１ｂと並列に接続された状態になることから、第１、第２の親機ー増設親機ラインＬａ、Ｌｂ間の直流電圧が前述の待受電圧よりもさらに低下した約４.５Ｖの電圧で与えられ、当該電圧が第２の増設親機抵抗Ｒ２ｂを介して増設親機Ａ／Ｄ変換アナログポートＰ２に伝達される。当該電圧は、図３に示すように、インターホン親機３が玄関子機１と通話状態にある電圧（以下「ＢＵＳＹ電圧」という。）であり、当該ＢＵＳＹ電圧は、第２の基準電圧ＲＥＦ２以下であることから、増設親機電圧検出・電圧昇降ＣＰＵ回路５７において、インターホン親機３が玄関子機１と通話状態にあるとして認識される。
【００３２】
一方、インターホン増設親機５が玄関子機と通話状態にある場合には、前述のインターホン親機３と同様に、インターホン増設親機５が第１、第２の親機ー増設親機ラインＬａ、Ｌｂ間の電圧を低下させることから、前述と同様に、インターホン親機３がＢＵＳＹ電圧を認識することで、親機電圧検出・電圧昇降ＣＰＵ回路３９において、インターホン増設親機５が玄関子機１と通話状態にあるとして認識される。
【００３３】
以上より、本発明においては、親機電圧検出・電圧昇降ＣＰＵ回路３９および増設親機電圧検出・電圧昇降ＣＰＵ回路５７において、第１、第２の親機ー増設親機ラインＬａ、Ｌｂ間の直流電圧を検出・監視し、相互に制御することで、各々の状態・要求を把握することができる。
［実施例２］
図４は、本発明の第２の実施例におけるインターホン装置の状態変化検出回路図を示している。なお、同図において、図２と共通する部分には同一の符号を付して詳細な説明を省略する。
【００３４】
この実施例においては、図２に示すインターホン親機３に、さらに１００ｋΩ程度の第３の抵抗（以下「第３の親機抵抗」という）Ｒ３ａおよび３９ｋΩ程度の第４の抵抗（以下「第４の親機抵抗」という）Ｒ４ａおよびコンパレータ（以下「親機コンパレータ」という。）ＩＣａが付加され、また、インターホン増設親機５に、さらに第１、第２のダイオードＤ１、Ｄ２、１００ｋΩ程度の第３の抵抗（以下「第３の増設親機抵抗」という）Ｒ３ｂおよび３９ｋΩ程度の第４の抵抗（以下「第４の増設親機抵抗」という）Ｒ４ｂおよびコンパレータ（以下「増設親機コンパレータ」という。）ＩＣｂが付加されている。ここで、第１の親機出力端子Ａ１は、第１、第２、第３の親機抵抗Ｒ１ａ、Ｒ２ａ、Ｒ３ａの各一端側に接続され、第２の親機抵抗Ｒ２ａの他端側には親機コンパレータＩＣａの出力側が、第３の親機抵抗Ｒ３ａの他端側には親機Ａ／Ｄ変換アナログポートＰ１、一端側がアース回路に接続された第４の親機抵抗Ｒ４ａの他端側および親機コンパレータＩＣａの入力側のプラス側がそれぞれ接続されている。また、第１の増設親機入力端子Ｂ１は、第１のダイオードＤ１の入力側に、第２の増設親機入力端子Ｂ２は、第２のダイオードＤ２の出力側にそれぞれ接続され、第１のダイオードＤ１の出力側には第１、第２、第３の増設親機抵抗Ｒ１ｂ、Ｒ２ｂ、Ｒ３ｂの各一端側が接続され、第２のダイオードＤ２の入力側には第１の増設親機抵抗Ｒ１ｂの他端側およびアース回路が接続されている。さらに、増設親機Ａ／Ｄ変換アナログポートＰ２は第３の増設親機抵抗Ｒ３ｂの他端側、一端側がアース回路に接続された第４の増設親機抵抗Ｒ４ｂの他端側および増設親機コンパレータＩＣｂの入力側のプラス側にそれぞれ接続され、増設親機コンパレータＩＣｂの出力側には第２の増設親機抵抗Ｒ２ｂの他端側が接続されている。
【００３５】
この実施例においては、第３、第４の親機抵抗Ｒ３ａ、Ｒ４ａおよび第３、第４の増設親機抵抗Ｒ３ｂ、Ｒ４ｂが使用されていることから、第１、第２の親機ー増設親機ラインＬａ、Ｌｂ間の直流電圧がそれぞれ第３、第４の親機抵抗Ｒ３ａ、Ｒ４ａおよび第３、第４の増設親機抵抗Ｒ３ｂ、Ｒ４ｂで分圧されて、それぞれ親機電圧検出・電圧昇降ＣＰＵ回路３９および増設親機電圧検出・電圧昇降ＣＰＵ回路５７に入力されることになる。従って、この実施例においては、１８Ｖ程度の電源電圧Ｖｃｃを使用しても、耐電圧が５Ｖ程度の親機電圧検出・電圧昇降ＣＰＵ回路３９および増設親機電圧検出・電圧昇降ＣＰＵ回路５７を電源電圧Ｖｃｃから保護することができる。
【００３６】
また、この実施例においては、親機Ａ／Ｄ変換アナログポートＰ１および増設親機Ａ／Ｄ変換アナログポートＰ２にそれぞれ親機コンパレータＩＣａおよび増設親機コンパレータＩＣｂが接続されていることから、インターホン親機３若しくはインターホン増設親機５が玄関子機１と通話状態になった場合に、親機コンパレータＩＣａ若しくは増設親機コンパレータＩＣｂからＬレベルの電圧が出力され、これにより、前述と同様に、第１、第２の親機ー増設親機ラインＬａ、Ｌｂ間の直流電圧が前述の待受電圧よりもさらに低下した電圧で与えられることになる。従って、この実施例においても、ＢＵＳＹ電圧が検出されることから、インターホン親機３若しくはインターホン増設親機５が玄関子機１と通話状態にあることを認識することができる。
【００３７】
さらに、この実施例においては、第１の増設親機入力端子Ｂ１が第１のダイオードＤ１の入力側に、第２の増設親機入力端子Ｂ２が第２のダイオードＤ２の出力側にそれぞれ接続されていることから、第１、第２の増設親機入力端子Ｂ１，Ｂ２によるインターホン親機３とインターホン増設親機５の接続を無極性化することができる。
【産業上の利用可能性】
【００３８】
本発明は、特許請求の範囲内で、次のように、変更、修正を加えることができる。
【００３９】
第１に、前述の実施例においては、インターホン増設親機が接続されているか否か、若しくは玄関子機が通話状態にあるか否か等の状態を電圧で伝達しているが、図３に示すように、ラインの電圧の低下をパルス状に制御することで、パルス時間によって状態の伝達をすることができる。
【００４０】
第２に、前述の実施例においては、インターホン親機に１台のインターホン増設親機を直列接続した場合について説明しているが、システムの規模により、インターホン親機に２台以上のインターホン増設親機を直列接続してもよい。
【図面の簡単な説明】
【００４１】
【図１】本発明の第１の実施例におけるインターホン装置のブロック図。
【図２】本発明の第１の実施例におけるインターホン装置の状態変化検出回路図。
【図３】本発明の第１の実施例におけるインターホン装置のライン間の直流電圧の変化状態を示す説明図。
【図４】本発明の第２の実施例におけるインターホン装置の状態変化検出回路図。
【図５】従来のインターホン装置の状態変化検出回路図。
【符号の説明】
【００４２】
１・・・玄関子機
１３・・・通話装置（子機通話装置）
３・・・インターホン親機
３６・・・通話装置（親機通話装置）
３９・・・電圧検出・電圧昇降ＣＰＵ回路（親機電圧検出・電圧昇降ＣＰＵ回路）
５・・・インターホン増設親機
５５・・・通話装置（増設通話装置）
５７・・・電圧検出・電圧昇降ＣＰＵ回路（増設親機電圧検出・電圧昇降ＣＰＵ回路）
Ｌ２・・・ライン（親機―増設親機ライン）
【図１】
2006279790.tif 000003
【図２】
2006279790.tif 000004
【図３】
2006279790.tif 000005
【図４】
2006279790.tif 000006
【図５】
2006279790.tif 000007